(57)【特許請求の範囲】
【請求項１】
所定の生産部門で消費された電力量が時系列的に記憶された第１記憶媒体と、上記生産部門で生産された生産品目とその生産開始時刻および生産終了時刻とを含む生産項目データが記憶された第２記憶媒体とからそれぞれデータを読み出して、上記電力量と上記生産品目との相関を表示する電力量の表示方法において、上記第１および第２記憶媒体からそれぞれ電力量データと生産項目データを読み出すデータ読出し手段と、同データ読出し手段にて読み出された上記電力量データと生産項目データとを記憶する記憶手段と、ディスプレイもしくはプリンタなどの表示手段と、上記の各手段を制御する制御手段と、同制御手段に対して表示を要する生産部門および分析期間を指定する操作部とを備え、上記制御手段は、上記第１および第２記憶媒体に記憶されているすべての電力量データと生産項目データを上記データ読出し手段にて読み出して上記記憶手段に記憶した後、上記操作部にて指定された生産部門および分析期間内の電力量データと生産項目データを上記記憶手段から抽出して、上記電力量については時間軸上にその分析期間内の電力量変動グラフを作成し、上記生産品目についてはその稼働時間を時系列に表した生産チャート図を作成し、上記電力量変動グラフと上記生産チャート図とをそれらの時間軸を一致させて上記表示手段に表示させることを特徴とする電力量の表示方法。
【請求項２】
上記変動グラフとして表示される電力量が、有効電力、無効電力、皮相電力もしくは力率のいずれか一つ以上である請求項１に記載の電力量の表示方法。
【請求項３】
上記記憶媒体がフロッピーディスク、磁気テープ、メモリカードもしくは光学的記録媒体のいずれか一つが選択される請求項１に記載の電力量の表示方法。
【請求項４】
上記電力量データと上記生産項目データが同一の記憶媒体に格納されている請求項１に記載の電力量の表示方法。
【請求項５】
所定の生産部門で消費された電力量が時系列的に記憶された第１記憶媒体と、上記生産部門で生産された生産品目とその生産開始時刻および生産終了時刻とを含む生産項目データが記憶された第２記憶媒体とからそれぞれデータを読み出して、コンピュータにより上記電力量と上記生産品目との相関を表示する制御プログラムを記録した媒体であって、該制御プログラムは、上記コンピュータに対して、上記第１および第２記憶媒体に記憶されているすべての電力量データと生産項目データを読み出して記憶手段に記憶した後、操作部にて指定された生産部門および分析期間内の電力量データと生産項目データを上記記憶手段から抽出して、上記電力量については時間軸上にその分析期間内の電力量変動グラフを作成し、上記生産品目についてはその稼働時間を時系列に表した生産チャート図を作成し、上記電力量変動グラフと上記生産チャート図とをそれらの時間軸を一致させて表示手段に表示させることを特徴とする電力量の表示制御プログラムを記録した媒体。
【発明の詳細な説明】
【０００１】
【発明の属する技術分野】
本発明は電力量の表示方法に関し、さらに詳しく言えば、多品種の製品を生産する生産部門（ライン）などにおいて、製品ごとにその製造に消費された電力量を表示するようにした電力量の表示方法に関するものである。
【０００２】
【従来の技術】
複数の生産部門を抱え、しかもその各々の生産部門において製造する製品が例えば数１０分〜数時間単位で入れ替わるような生産現場では、その生産システム全体の電力負荷状況はもとより、各製品ごとにその電力負荷の状況を把握し、分析する必要がある。
【０００３】
そこで、従来では図４の説明図に示されているように、各生産部門ごとに電力使用量を時系列的に測定して、その変動測定データを記憶媒体としてのフロッピーディスクに格納する（図４（ａ）参照）。また、各生産部門ごとに生産品目とその生産開始時刻および生産終了時刻とを含む生産項目データをフロッピーディスクに残し（図４（ｂ）参照）、これらのデータに基づいて、各製品ごとの電力負荷状況を把握し、分析するようにしている。
【０００４】
すなわち、図４（ａ）のフロッピーディスクを例えばパーソナルコンピュータにかけて、分析したい期間を指定して所定の生産部門における電力使用量の時系列変動データを読み出し、表計算ソフトを用いて図４（ｃ）に示されているような電力負荷変動グラフをディスプレイに表示するか、もしくはプリントアウトさせる。
【０００５】
また、図４（ｂ）のフロッピーディスクを同じくパーソナルコンピュータにかけて、生産項目データを読み出し、その製品品目と生産開始時刻および生産終了時刻とから、ユーザー自らの手により、図４（ｄ）に示されているような生産項目を時系列的に表す生産チャート図を作成する。
【０００６】
そして、この２つの電力負荷変動グラフと生産チャート図とを対比しながら、生産項目と電力使用量の関係を読みとり、生産品目（製品）ごとの電力使用量を把握し、分析を行なうようにしている。
【０００７】
例えば、第１生産部門を電力使用の負荷１として、生産チャート図から生産品目Ａの生産時間帯を読みとり、電力負荷変動グラフからその生産時間帯における負荷１の電力量を読みとることにより、生産品目Ａの製造に費やされた電力量を知ることができる。
【０００８】
【発明が解決しようとする課題】
電力負荷変動グラフは、汎用の表計算ソフトがあればパーソナルコンピュータにて比較的簡単に作成できるが、生産チャート図についてはユーザーがその都度作成する必要があり、これが分析作業を困難なものとしている。
【０００９】
また、生産チャート図の作成プログラムを組んでその作図を自動化したとしても、電力負荷変動グラフと生産チャート図とが２枚に分かれているため、対比するにあたっては、その都度時間軸合わせをしなければならない、という不都合があった。
【００１０】
本発明は、このような課題を解決するためになされたもので、その目的は、生産品目ごとの使用電力量を容易に把握し、分析できるようにした電力量の表示方法を提供することにある。
【００１１】
【課題を解決するための手段】
上記目的を達成するため、本発明は、所定の生産部門で消費された電力量が時系列的に記憶された第１記憶媒体と、上記生産部門で生産された生産品目とその生産開始時刻および生産終了時刻とを含む生産項目データが記憶された第２記憶媒体とからそれぞれデータを読み出して、上記電力量と上記生産品目との相関を表示する電力量の表示方法において、上記第１および第２記憶媒体からそれぞれ電力量データと生産項目データを読み出すデータ読出し手段と、同データ読出し手段にて読み出された上記電力量データと生産項目データとを記憶する記憶手段と、ディスプレイもしくはプリンタなどの表示手段と、上記の各手段を制御する制御手段と、同制御手段に対して表示を要する生産部門および分析期間を指定する操作部とを備え、上記制御手段は、上記第１および第２記憶媒体に記憶されているすべての電力量データと生産項目データを上記データ読出し手段にて読み出して上記記憶手段に記憶した後、上記操作部にて指定された生産部門および分析期間内の電力量データと生産項目データを上記記憶手段から抽出して、上記電力量については時間軸上にその分析期間内の電力量変動グラフを作成し、上記生産品目についてはその稼働時間を時系列に表した生産チャート図を作成し、上記電力量変動グラフと上記生産チャート図とをそれらの時間軸を一致させて上記表示手段に表示させることを特徴としている。
【００１２】
この表示方法によれば、特定の生産部門についての電力量変動グラフの時間軸と生産チャート図の時間軸とが一致しているため、従来のように、いちいち時間軸合わせを行なうことなく、生産品目ごとの使用電力量を容易に把握し、分析することができる。
【００１３】
本発明において、変動グラフとして表示される電力量には、有効電力量、無効電力量、皮相電力量の他に力率までも含まれるものとする。
【００１４】
また、使用される記憶媒体としては、低コストで汎用的なフロッピーディスクが好適であるが、磁気テープ、メモリカードもしくは光学的記録媒体を使用することも可能である。さらには、電力量データと生産項目データが同一の記憶媒体に格納されていてもよい。すなわち、同一の記憶媒体に２つの記憶領域を設定し、その各々に電力量データと生産項目データとを記憶させてもよい。
【００１５】
また、本発明は、所定の生産部門で消費された電力量が時系列的に記憶された第１記憶媒体と、上記生産部門で生産された生産品目とその生産開始時刻および生産終了時刻とを含む生産項目データが記憶された第２記憶媒体とからそれぞれデータを読み出して、コンピュータにより上記電力量と上記生産品目との相関を表示する制御プログラムを記録した媒体であって、該制御プログラムは、上記コンピュータに対して、上記第１および第２記憶媒体に記憶されているすべての電力量データと生産項目データを読み出して記憶手段に記憶した後、操作部にて指定された生産部門および分析期間内の電力量データと生産項目データを上記記憶手段から抽出して、上記電力量については時間軸上にその分析期間内の電力量変動グラフを作成し、上記生産品目についてはその稼働時間を時系列に表した生産チャート図を作成し、上記電力量変動グラフと上記生産チャート図とをそれらの時間軸を一致させて表示手段に表示させることを特徴としている。
【００１６】
【発明の実施の形態】
次に、本発明の技術的思想をよりよく理解する上で、図面を参照しながら、その実施の形態について説明する。
【００１７】
まず、図１に基づいて、本発明に必要とされる装置としての構成について説明する。この実施例においては、記憶媒体としてフロッピーディスクが用いられており、フロッピーディスク１Ａ，１Ｂ，１Ｃには、例えば第１生産部門（電力使用の負荷１）、第２生産部門（同負荷２）、第３生産部門（同負荷３）における電力使用量の時系列変動測定データがそれぞれ保存されているものとする。
【００１８】
また、フロッピーディスク２Ａ，２Ｂ，２Ｃには、第１生産部門、第２生産部門、第３生産部門の各部門における生産品目名と、その生産開始時刻および生産終了時刻とを含む生産項目データがそれぞれ保存されているものとする。なお、この実施例では時系列変動測定データと生産項目データとを別々のフロッピーディスクに保存しているが、１つのフロッピーディスク内に両データを保存させてもよい。
【００１９】
この装置は、上記各フロッピーディスク内のデータを読み出すＦＤドライブ１１と、このＦＤドライブ１１にて読み出されたデータを記憶する保存用ＲＡＭ（ランダムアクセスメモリ）１２および作業用のワークＲＡＭ１３と、表示手段としてのプリンタ（もしくはディスプレイ）１４と、上記の各構成要素を制御する制御手段としてのＣＰＵ（中央演算処理ユニット：コンピュータ）１０と、ユーザーからＣＰＵ１０に対して表示上の必要な指示を与える操作部としてのキーボード１５とを備えている。
【００２０】
次に、図２のフローチャートにしたがって、この装置の動作、すなわち本発明の表示動作例について説明する。まず、ＦＤドライブ１１によりフロッピーディスク１Ａ〜１Ｃ内の各生産部門における電力使用量の時系列変動測定データがすべて読み出され、同データがＲＡＭ１２の所定領域に記憶される。
【００２１】
同様にして、ＦＤドライブ１１によりフロッピーディスク２Ａ〜２Ｃ内の各生産部門におけるすべての生産項目データが読み出され、同データがＲＡＭ１２内の別の領域に記憶される。
【００２２】
キーボード１５によりユーザーが希望する分析したい期間と生産部門（負荷）が指定されると、ＣＰＵ１０は、ＲＡＭ１２内から指定された負荷における指定された分析期間内の電力量時系列変動測定データおよび生産項目データを抽出し、時系列変動測定データについては、表計算ソフトのグラフ作成機能に基づいて電力負荷変動グラフを作成し、その変動グラフデータをワークＲＡＭ１３に格納する。
【００２３】
生産項目データについては、表計算ソフトの例えば矢印線描画機能と文字貼り付け機能により、変動グラフと同じく指定された分析期間をその時間軸として、各生産品目の生産開始時刻と生産終了時刻に基づいて生産チャート図を作成し、その作図データをワークＲＡＭ１３に格納する。
【００２４】
このとき、電力負荷変動グラフの時間軸と生産チャート図の時間軸とが同期し、かつ、その各長さが一致するように時間軸データが加工され、電力負荷変動グラフと生産チャート図の貼り付けが行なわれる。このようにして、××月××日の〇〇時から〇〇時までの電力負荷変動グラフデータと生産チャート図の作図データとがその時間軸を同一として作成される。
【００２５】
そして、ユーザーから表示要求があると、ＣＰＵ１０は、ワークＲＡＭ１３内の電力負荷変動グラフデータと生産チャート図の作図データをプリンタ１４に送出し、これにより生産チャート図付きの電力負荷変動グラフデータがプリントアウトされる。
【００２６】
図３にそのプリントアウト例を示す。このプリントアウト例には、３つの生産部門を負荷１，２，３として指定し、各負荷の１日２４時間の電力負荷変動グラフと生産項目とが表示されている。これによれば、電力負荷変動グラフと生産チャート図とが同一時間軸に沿って作図されているため、例えば負荷１においては、２：００〜６：００時までの時間帯に生産品目Ａが生産され、電力負荷変動グラフからその時間帯における負荷１の電力使用量を把握することができる。
【００２７】
なお、この実施例では生産品目ごとの電力使用量を電力負荷変動グラフからユーザーが読みとるようにしているが、キーボード１５にて所望とする負荷の生産品目を指定するか、もしくはディスプレイ表示の場合には、例えばカーソルにて電力負荷変動グラフの所望とする部分を指示することにより、ＣＰＵ１０にてその電力使用量を集計して、数値として表示させることもできる。
【００２８】
また、応用例として、監視対象としての上記生産部門を工作機械などの製造装置に置き換えることにより、その製造装置の稼働状況と消費電力量などの関係をも容易に把握し、かつ、分析することができる。
【００２９】
【発明の効果】
以上説明したように、本発明によれば、電力負荷変動グラフと生産チャート図とがその時間軸を同一として１つの紙面もしくは画面上に表示されるため、生産項目ごとの電力使用量の把握が容易であり、分析に適した資料を提供することができる。
【図面の簡単な説明】
【図１】本発明に用いられる装置の構成例を示した模式図。
【図２】本発明の表示動作を説明するためのフローチャート。
【図３】本発明による電力負荷変動グラフと生産チャート図の表示例を示した説明図。
【図４】従来例の模式的説明図。
【符号の説明】
１Ａ〜１Ｃ，２Ａ〜２Ｃ  フロッピーディスク
１０  ＣＰＵ
１１  ＦＤドライブ
１２，１３  ＲＡＭ
１４  プリンタ（ディスプレイ）
１５  キーボード
【図１】
0003760023.tif 000002
【図２】
0003760023.tif 000003
【図３】
0003760023.tif 000004
【図４】
0003760023.tif 000005